(57)【要約】【課題】  不要画像を発生させずかつ操作者の使い勝手を考慮した上での撮像動作制御を可能とする。【解決手段】  レンズ部による撮像不可範囲を設定し（Ｓ２０３）、装置本体に対するレンズ部の回転位置を検出し（Ｓ２０６）、検出した回転位置が設定された撮像不可範囲内にある場合、レンズ部を使用した撮像動作を禁止する（Ｓ２０８）。【選択図】  図５
2006114978.tif 000002
【特許請求の範囲】
【請求項１】
レンズ部が装置本体に対して回動可能な撮像装置であって、
前記レンズ部による撮像不可範囲を設定する設定手段と、
装置本体に対するレンズ部の回転位置を検出する検出手段と、
前記検出手段により検出した回転位置が前記設定手段により設定された撮像不可範囲内にある場合、前記レンズ部を使用した撮像動作を禁止する制御手段と、
を有することを特徴とする撮像装置。
【請求項２】
前記設定手段は、操作者が前記レンズ部を回動操作した回転位置に基づき前記撮像不可範囲を設定することを特徴とする請求項１に記載の撮像装置。
【請求項３】
前記設定手段は、操作者により操作された２つの回転位置を含む位置範囲内または前記位置範囲外のいずれかを選択的に前記撮影不可範囲として設定することを特徴とする請求項２に記載の撮像装置。
【請求項４】
前記制御手段は、動画撮影モードに設定されているときにのみ前記撮像動作を禁止することを特徴とする請求項１〜３のいずれかに記載の撮像装置。
【請求項５】
前記制御手段は、前記レンズ部の焦点距離に応じて前記撮像動作を禁止することを特徴とする請求項１〜４のいずれかに記載の撮像装置。
【請求項６】
前記撮像動作は、前記レンズ部により画像を取得しメモリに記録するまでの動作であることを特徴とする請求項１〜５のいずれかに記載の撮像装置。
【請求項７】
前記レンズ部により得られた画像を表示する表示手段をさらに有することを特徴とする請求項１〜６のいずれかに記載の撮像装置。
【請求項８】
レンズ部が装置本体に対して回動可能な撮像装置の制御方法であって、
前記レンズ部による撮像不可範囲を設定する設定工程と、
装置本体に対するレンズ部の回転位置を検出する検出工程と、
前記検出工程において検出した回転位置が前記設定工程により設定された撮像不可範囲内にある場合、前記レンズ部を使用した撮像動作を禁止する制御工程と、
を有することを特徴とする撮像装置の制御方法。
【発明の詳細な説明】
【技術分野】
【０００１】
本発明は、レンズ部が装置本体に対して回動可能な撮像装置及び撮像装置の制御方法に関するものである。
【背景技術】
【０００２】
従来は、特許文献１に示されるように、撮像手段であるレンズ部が回転する電子スチルカメラでは、ＬＣＤファインダー表示のみ点灯の可否を回転角に応じて制御する装置は考案されている。又、画像撮影時に関しては、画定する為の光学系をメカ的に遮断するように構成されている装置もある。
【特許文献１】特開２０００−１９６９３６号公報
【発明の開示】
【発明が解決しようとする課題】
【０００３】
しかしながら、上記従来例では、撮影画像とは関係なく、主被写体の画像を電子ファインダーであるＬＣＤ表示の点灯非点灯のみを切り替えている。電子ファインダー使用時のおのおのの撮影者によって撮影しやすいレンズ回転位置が異なる為、前記機能を誰もが十分に使用できるような仕様ではないという欠点がある。且つ、電子ビューファインダーを使用しないのであれば、最初から電子ビューファインダーをＯＦＦし光学ファインダーを使用した方がよいと考えられる。
【０００４】
画像撮影時の画定する為の光学系のみを遮断するように構成しているものは、光学系遮断領域でも撮影が可能となる為、なにも写っていない画像を撮影することとなり、知らずに無駄な画像の撮影を行なってしまう欠点がある。又、この方式を動画撮影行なえる撮像装置（電子ムービー等）に適用しようとすると、ムービー撮影記録中にレンズの回転を行なうと、撮影した画像の結果に不要な遮断領域の画像が存在し、記録媒体の容量が無駄になったり、不要画像が存在する為に撮影完了後に画像のデータをスムースにつなげる為に再度編集作業が必ず必要になったりするような欠点がある。
【０００５】
本発明は、上述した問題点を解決するためのものであり、不要画像を発生させずかつ操作者の使い勝手を考慮した上での撮像動作制御が可能な撮像装置及び撮像装置の制御方法を提供することを目的とする。
【課題を解決するための手段】
【０００６】
上記目的を達成するために、本発明の撮像装置は、レンズ部が装置本体に対して回動可能な撮像装置であって、前記レンズ部による撮像不可範囲を設定する設定手段と、装置本体に対するレンズ部の回転位置を検出する検出手段と、前記検出手段により検出した回転位置が前記設定手段により設定された撮像不可範囲内にある場合、前記レンズ部を使用した撮像動作を禁止する制御手段と、を有することを特徴とする。
【０００７】
また、本発明の撮像装置の制御方法は、レンズ部が装置本体に対して回動可能な撮像装置の制御方法であって、前記レンズ部による撮像不可範囲を設定する設定工程と、装置本体に対するレンズ部の回転位置を検出する検出工程と、前記検出工程において検出した回転位置が前記設定工程により設定された撮像不可範囲内にある場合、前記レンズ部を使用した撮像動作を禁止する制御工程と、を有することを特徴とする。
【発明の効果】
【０００８】
本発明によれば、メカ的な構成に起因する不要画像を発生させることなくレンズ部の回動に応じた撮像動作制御ができる。また、操作者の使い勝手を考慮した上での撮像動作制御が可能となる。
【発明を実施するための最良の形態】
【０００９】
以下、図面を参照して本発明の実施の形態を説明する。
【００１０】
（第１の実施形態）
図１は、本発明を適用可能な電子スチルカメラ又はムービーである撮像装置の外観構成例を示す図である。図１において、１は電子機器本体であるところの電子スチルカメラ又はムービー、２は主撮影動作を開始するための操作部材であるところのスイッチ、３は本体１の一部分を軸として図１のθ方向へ回転することが可能な撮像レンズユニット、４はレンズ３の焦点距離を任意の位置にズームインする為のスイッチ、５はスイッチ４同様にレンズの焦点距離を任意の位置にズームアウトする為のスイッチ、６は電子スチルカメラの各種モード設定する為のスイッチ、７は、主撮影者が撮影する際に画定し画像確認する為の表示手段であるところのＬＣＤである。
【００１１】
図２は撮像装置の内部構成のブロック構成例を示しており、８は画像をカメラに取り込む為の撮像手段であるところのＣＣＤ、９は撮像素子８に機械的に光路を調整する為のシャッター、１０は主被写体の画像を入手する為のレンズ、１１はＣＣＤ８を駆動する為のＣＣＤ駆動部、１２はＣＣＤ８に得られた画素情報をサンプリングして蓄積するためのサンプルホールド部、１３はサンプルホールド部１２で得られた画像情報をアナログ−デジタル変換する為のＡ／Ｄコンバータ、１４はシャッター９を開閉制御する為のシャッター制御部、１５はレンズ１０の焦点距離やピント位置を制御駆動する為のレンズ制御部、１６は回転可能な撮像レンズユニット３の回転位置を検出する為の回転位置検出部、１７は撮影された画像を記録する為のメモリー、１８はＬＣＤ表示７を駆動する為のＬＣＤ駆動部、１９はレリーズスイッチ２、ズーム切り換えスイッチ４，５、各種モード切り換えスイッチ６等の各種入力スイッチの操作入力部、２０は本体のシステムをコントロールする為のＣＰＵである。
【００１２】
図３は本実施形態でのシステムフローチャートであり詳細のシステムはステップ順に説明していく。
【００１３】
まず、ステップＳ１００から本システムがスタートして、ステップＳ１０１で操作スイッチ６にて撮影のモードを選択する。ここで選択するモードとして図１、２に示すレンズユニット３の回転を検出することが可能なモードを選択する。
【００１４】
ステップＳ１０２で図１、２示すＬＣＤ表示７をＬＣＤ駆動部１８の制御情報にて駆動する。この時、図２の各種駆動部１２，１３，１４，１５の駆動にて制御しレンズユニット３を返して得られた入力画像として前記ＬＣＤに電子ファインダーとして、表示する。
【００１５】
ステップＳ１０３では主撮影者が撮影動作を開始させるか否かを判断するステップで、レリーズスイッチ２のオンされると次のステップＳ１０４へ進み、オフのままだと、オンされるまで待機する。
【００１６】
ステップＳ１０４ではレンズユニット３の回転位置をあらかじめ設定してある位置にあるか否かを判断する。ここであらかじめ設定してあるレンズ回転位置設定範囲外にあるときはステップＳ１０５へ進み、あらかじめ設定してあるレンズ回転位置設定範囲内にあるときはステップＳ１０８へ進む。
【００１７】
ステップＳ１０５へ進んだ場合は、撮影を実施する。次にステップＳ１０６にて、ステップＳ１０５で得られた画像をメモリー１７へ画像を記録する。ステップＳ１０７では、次の撮影を実施するか否かを判断し、撮影の際はステップＳ１０１の初期ステップに戻り次の撮影の準備を行い、撮影しない場合はステップＳ１０９へ進み本実施形態のシーケンスを終了する。
【００１８】
前記ステップＳ１０８では、撮影動作を禁止しステップＳ１０３へ戻る。以上のフローチャートを実施することで、あらかじめ設定してあるレンズ回転位置の有り無しを判断し撮影の可否を可能とする。
【００１９】
図４は、レンズユニット横方向から見た図を示しており、レンズ回転位置と角度との関係より図４のレンズユニット回転初期収納位置をａ（装置に対してレンズ下向き）、正回転方向を前記ａ位置から右回転方向（図４のｂ，ｅ方向回転）、逆回転方向を前記ａ位置から左回転方向（図４のｃ，ｆ方向回転）とし説明する。
【００２０】
初期位置ａでは撮影動作する際にユーザーが操作しづらく画像を取り込む必要性は無いと判断する。その領域を図４のθ１の領域（図４のｂ〜図４のｃ位置）まで広げ、画像を取り込み不要角度が存在する為その領域の撮影を禁止する。
【００２１】
以上説明したように、本実施形態によれば、通常撮影時に不要な回転位置での画像記録の防止が可能となり、画像記録メモリー容量の小容量化と、前記記録データの編集作業が不要となる。
【００２２】
（第２の実施形態）
本実施形態の撮像装置の構成は、第１の実施形態の図１と図２に示したものと同一構成である。図５が第２の実施形態のシステムフローチャートを示しており、図６は図５に示すフローチャート上の処理方法の詳細を説明するフローチャートである。図５のフローチャート順に説明する。
【００２３】
図５のステップＳ２００から本システムがスタートして、ステップＳ２０１で操作スイッチ６にて撮影のモードを選択する。ここで選択するモードとしてレンズユニット３の回転を検出することが可能なモードを選択する。
【００２４】
ステップＳ２０２で任意のレンズ回転位置で撮影不許可領域を設けるようにするか否かを判断する。ここで、撮影者が設定を希望する際はステップＳ２０３へ進み、設定しない場合はステップＳ２０４へ進む。ステップＳ２０３では、撮影不許可回転領域を任意に設定する。詳細の設定手法については、図６に記載しており、後で説明する。
【００２５】
ステップＳ２０４〜Ｓ２１１の手順は前記第１の実施形態にて説明している図３のステップＳ１０２〜Ｓ１０９と内容は同一である為、詳細の処理説明は省略する。
【００２６】
上記ステップＳ２０３での任意に設定するレンズ回転位置の設定方法についての詳細方法を図６に示し、フローチャート順に説明する。
【００２７】
ステップＳ３００からスタートし、ステップＳ３０１で主撮影者が使いづらい位置且つ、撮影者が次に撮影しようとしているシーンより不要と予測されるレンズ回転位置にセットし、ここでは、仮に図４のｂの位置と仮定する。そのｂ位置にレンズセット後、操作スイッチ６にて第１の位置情報を保持する。次にステップＳ３０２へ進み、主撮影者が撮影不可領域の反対回転位置（ここでは仮に図４のｃ位置と仮定する）にレンズを持っていき、第２の位置を保持する。ステップ３０３では、上記設定位置ａ〜ｂの可動範囲内図４に示すθ１範囲内を撮影不可領域にするか逆にθ１範囲外を撮影不可領域にするのか主撮影者が判断する。ステップＳ３０４の場合はθ１範囲内を撮影不可領域と設定し保持する。ステップＳ３０５ではθ１範囲外（図４に示す位置だと、ｂ〜ｅ位置間とｃ〜ｆ位置間）を撮影不可領域と設定する。ステップ３０６は図５のステップＳ２０３の処理を終了しステップ２０４へ進みメインシーケンスへ戻る。
【００２８】
以上説明したように、本実施形態では、撮影者が任意に撮影不可領域を設定することで、おのおのお撮影者の癖やフィーリングに合わせた設定が可能となる。
【００２９】
（第３の実施形態）
本実施形態の撮像装置の構成は、第１及び第２の実施形態と同様、図１及び図２、４に示すものである。本実施形態では、動画撮影中のみ第１の実施形態及び第２の実施形態に記載のレンズの回転位置を検出し撮影不許可領域を設けるようにする。
【００３０】
以上のように構成することにより、動画撮影中にレンズ回転を行なうことで、動画撮影時に不要な回転位置での画像記録の防止が可能となり、画像記録メモリー容量の小容量化と、前記記録データの編集作業が不要となる。又、静止画撮影時と動画撮影時で両撮影モードの使い勝手をさらに良くすることが可能となる。
【００３１】
（第４の実施形態）
本実施形態の撮像装置の構成は、第１及び第２の実施形態と同様、図１及び図２、４に示すものである。本実施形態では、レンズの焦点位置を複数有するレンズの場合に、レンズの焦点距離に応じて第１の実施形態〜第３の実施形態までで実施している撮影不許可領域であるレンズ回転位置図４に示すｂ，ｃの設定位置を各焦点距離に対応して変化させる。すなわち、広角側では設定不可領域を狭くし、望遠側では設定不可領域を広くする。
【００３２】
広角側は、主被写体が撮影画角内入っている角度が広い為、レンズ回転可動範囲を広くとる必要がある。その為、撮影不可領域を通常より狭くする。
【００３３】
逆に、望遠側は、主被写体が撮影画角内入っている角度が狭い為、レンズ回転可動範囲を狭くしぶれやピントぼけを起こしにくくする必要がある。その為、撮影不可領域を通常より広くし無駄な画像を少なくする。
【００３４】
以上のように構成することで、レンズ焦点距離に応じた適正なレンズ回転範囲を選択出来、主撮影者の使い勝手が更に向上する。
【図面の簡単な説明】
【００３５】
【図１】本発明に係る撮像装置である電子スチルカメラ或いはムービーの外観図
【図２】本発明に係る撮像装置である電子スチルカメラ或いはムービーのシステムブロック図
【図３】本発明の第１の実施形態に関わるシステムフローチャート
【図４】本発明の全ての実施形態に関わる外観概念図
【図５】本発明の第２の実施形態に関わるシステムフローチャート
【図６】本発明の第２の実施形態に関わる部分処理フローチャート
【符号の説明】
【００３６】
１  撮像装置（電子スチルカメラｏｒ電子ムービー）
２  レリーズスイッチ
３  レンズユニット
４，５，６  スイッチ
７  ＬＣＤ
８  撮像素子（ＣＣＤ）
９  シャッター
１０  レンズ
１１  ＣＣＤ駆動部
１２  サンプルホールド部
１３  Ａ／Ｄコンバータ
１４  シャッター駆動部
１５  レンズ駆動部
１６  回転位置検出部
１７  メモリー
１８  ＬＣＤ駆動部
１９  操作入力部
２０  ＣＰＵ
【図１】
2006114978.tif 000003
【図２】
2006114978.tif 000004
【図３】
2006114978.tif 000005
【図４】
2006114978.tif 000006
【図５】
2006114978.tif 000007
【図６】
2006114978.tif 000008